(57)【特許請求の範囲】
【請求項１】
無線通信システムにおける基地局の干渉調整のためのリソース管理方法であって、
他の基地局からＡＢＳ（Ａｌｍｏｓｔ  Ｂｌａｎｋ  Ｓｕｂｆｒａｍｅ）セットを受信する過程と、
チャネル測定のための基準リソース構成セット及び無線リソース測定のためのＲＬＭ／ＲＲＭセットを端末に送信する過程と、
前記ＡＢＳセットと前記端末の位置に基づいて選択されたサブフレームに前記端末をスケジューリングする過程と、を含み、
前記送信する過程は、
前記端末が前記基地局のセルの境界に位置している場合、ＡＢＳセットまたはＡＢＳセットのサブセットのうちいずれかを送信し、
前記端末が前記基地局のセルの境界に位置していない場合、ｎｏｎ−ＡＢＳセットまたはｎｏｎ−ＡＢＳセットのサブセットのうちいずれかを送信する、
リソース管理方法。
【請求項２】
前記サブフレームは、
基準信号のみを送信するサブフレームまたは信号が送信されないサブフレームであることを特徴とする請求項１に記載のリソース管理方法。
【請求項３】
前記サブフレームは、
往復時間（ＲＴＴ：round trip time）の間隔で構成されたＨＡＲＱ  ｐｒｏｃｅｓｓが送信されるリソースの合計を含み、前記リソースの合計がサブフレームのインデックス１番及び４番のうち少なくとも一つを含むことを特徴とする請求項２に記載のリソース管理方法。
【請求項４】
前記ＡＢＳセットを受信する過程は、
Ｘ２網を利用して前記ＡＢＳセットを受信する過程を含むことを特徴とする請求項１に記載のリソース管理方法。
【請求項５】
端末のチャネルフィードバック方法であって、
基地局からチャネル測定のための基準信号構成セットが受信する過程と、
前記基準リソース構成セットで指示されたサブフレーム領域でチャネルの測定を行い、前記測定されたチャネル測定値を前記基地局に伝達する過程と、を含み、
前記基準信号構成セットを受信する過程は、
前記端末が前記基地局のセルの境界に位置している場合、ＡＢＳセットまたはＡＢＳセットのサブセットのうちいずれかを受信し、
前記端末が前記基地局のセルの境界に位置していない場合、ｎｏｎ−ＡＢＳセットまたはｎｏｎ−ＡＢＳセットのサブセットのうちいずれかを受信するチャネルフィードバック方法。
【請求項６】
前記チャネル測定値を伝達する過程は、
すべてのサブフレーム領域でチャネルを測定する過程と、
前記すべてのサブフレームのチャネル測定値を共に伝達する過程と、
をさらに含むことを特徴とする請求項５に記載のチャネルフィードバック方法。
【請求項７】
前記基準リソース構成セットは、
前記基地局よりも送信電力が強い基地局で信号が送信されないサブフレームであるＡＢＳセットと同一のセットであるか、サブセットであることを特徴とする請求項６に記載のチャネルフィードバック方法。
【請求項８】
無線通信システムにおける干渉調整のための基地局であって
他のネットワークエンティティと通信を行う通信部と、
ＡＢＳセットを他の基地局から受信し、
チャネル測定のための基準リソース構成セット及び無線リソース測定のためのＲＬＭ／ＲＲＭセットを端末に送信し、前記ＡＢＳセット及び前記端末の位置に基づいて選択されたサブフレームに前記端末をスケジューリングする制御部と、を含み、
前記制御部は、
前記端末が前記基地局のセルの境界に位置している場合、前記ＡＢＳセットまたは前記ＡＢＳセットのサブセットのうちいずれかを送信し、
前記端末が前記基地局のセルの境界に位置していない場合、ｎｏｎ−ＡＢＳセットまたはｎｏｎ−ＡＢＳセットのサブセットのうちいずれかを送信することを特徴とする基地局。
【請求項９】
前記サブフレームは、
基準信号を送信するサブフレームまたは信号が送信されないサブフレームであることを特徴とする請求項８に記載の基地局。
【請求項１０】
前記サブフレームは、
サブフレームのインデックス１番及び４番のうち少なくとも１つを含むＡＢＳセットと、これを含まないＮｏｎ−ＡＢＳセットとで構成された請求項９に記載の基地局。
【請求項１１】
それぞれのチャネルは、
Ｎｏｎ−ＡＢＳセット領域とＡＢＳセット領域で測定され、二つのチャネル測定値は、前記端末により伝達されることを特徴とする請求項８に記載の基地局。
【請求項１２】
前記制御部は、
Ｘ２網を利用して前記ＡＢＳセットを受信することを特徴とする請求項８に記載の基地局。
【発明の詳細な説明】
【技術分野】
【０００１】
本発明は、無線通信システム及びそのシステムでセル間干渉を調整するためのリソース管理方法に関する。より詳細に説明すれば、本発明は、無線通信システムでセル間干渉調整のためのリソースを決定する方案、並びに、端末のチャネル情報をフィードバックする方法及びこれのためのシステムに関する。
【背景技術】
【０００２】
一般的に、移動通信システムは、ユーザの活動性を保障しながら音声サービスを提供するために開発された。しかしながら、移動通信システムは、次第に音声だけでなくデータサービスまで領域を拡張しており、現在には高速のデータサービスを提供できる程度にまで発展した。ところが、現在、サービスが提供されている移動通信システムでは、リソースの不足現象及びユーザがより高速のサービスを要求しているので、より発展した移動通信システムが求められている。
【０００３】
このような要求に応じて次世代移動通信システムとして開発されている一つのシステムとして、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）でＬＴＥ（Ｌｏｎｇ  Ｔｅｒｍ  Ｅｖｏｌｕｔｉｏｎ）に対する規格作業が進められている。ＬＴＥは、最大１００Ｍｂｐｓ程度の送信速度を有する高速パケット基盤通信を実現する技術である。高速パケット基盤通信を実現するために、様々な方案が論議されている。例えば、ネットワークの構造を簡単にして通信路上に位置するノードの数を減らす方案や、無線プロトコルを最大限無線チャネルに近接させる方案などがある。
【０００４】
ＬＴＥシステムにおいてＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ）は、セル間に使用する周波数リソースの最大送信電力情報を知らせることによって、基地局が干渉を制御する技術である。より詳細に説明すれば、基地局は、自分のセルで使用されるＲＢリソースのうち高い電力に送信するＲＢリソース情報と干渉が一定の水準以上に感知されるＲＢリソース情報を隣接するセルに知らせる。そして、該当情報を受けたセルは、情報に基づいて自分が使用するＲＢリソースの送信電力とスケジューリング方法を調節する。
【発明の概要】
【発明が解決しようとする課題】
【０００５】
ＬＴＥ−Ａｄｖａｎｃｅｄシステムで論議されるＨｅｔｅｒｏｇｅｎｅｏｕｓ環境は、送信電力が高いマクロ（ｍａｃｒｏ）セルの中に送信電力が相対的に非常に小さいピコ（ｐｉｃｏ）セルが存在する環境を意味する。しかし、このような場合には、基地局間の高い干渉によって既存のＩＣＩＣが最大性能を発揮することができない。したがって、周波数軸ではない時間軸での干渉制御技術が必要であり、これを基盤とするｅＩＣＩＣ（ｅｎｈａｎｃｅｄ−ＩＣＩＣ）の研究が必要な実情である。
【０００６】
したがって、本発明は、無線通信システムでセル間干渉調整のためのリソースを決定する方法、並びに、端末のチャネル情報をフィードバックする方法及びこれのための装置を提供する。そして、本発明は、時間軸でのｅＩＣＩＣを通じてピコセルの性能を最大化し、静的または動的な時間リソースを活用することを目的とする。また、端末のフィードバックコントロールによって最大のリソース効率を高めることを目的とする。
【課題を解決するための手段】
【０００７】
上記のような問題点を解決するために、本発明の無線通信システムで干渉調整のための第１基地局は、第２基地局にＡＢＳ（Ａｌｍｏｓｔ  Ｂｌａｎｋ  Ｓｕｂｆｒａｍｅ）セットを送信する過程と、前記第２基地局は、チャネル測定のための基準リソース構成セット及び無線リソース測定のためのＲＬＭ／ＲＲＭセットを端末に送信する過程と、前記第２基地局は、前記ＡＢＳセットとして選択されたサブフレームに前記端末をスケジューリングする過程と、を含む。
【０００８】
上記のような問題点を解決するために、本発明のリソース管理システムは、ＡＢＳセットを送信する第１基地局と、チャネル測定のための基準リソース構成セット及び無線リソース測定のためのＲＬＭ／ＲＲＭセットを端末に送信し、前記第１基地局から受信された前記ＡＢＳセットとして選択されたサブフレームに前記端末をスケジューリングする第２基地局と、前記第２基地局から送信された前記基準リソース構成セットで指示されたサブフレーム領域でチャネルの測定を行い、前記測定されたチャネル測定値を前記第２基地局に伝達する端末と、を含む。
【０００９】
本発明によれば、時間軸として使用されるサブフレームのリソースは、８ｍｓｅｃの周期で構成された時間リソースの合計から構成され、少なくとも一つの１０ｍｓｅｃのｓｕｂｆｒａｍｅインデックス４番および／または９番のｓｕｂｆｒａｍｅを含むＨＡＲＱ（Ｈｙｂｒｉｄ  Ａｕｔｏｍａｔｉｃ  Ｒｅｔｒａｎｓｍｉｔ  ｒｅＱｕｅｓｔ）を結合したリソースで構成することにより、ピコセルに位置した端末に対する干渉を制限することができる。また、受信されたシステム情報を通じてピコセルの容量を最大化することができる。
【図面の簡単な説明】
【００１０】
【図１】本発明に係るＯＦＤＭ基盤の下りリンクフレーム構造を示した図面である。
【図２】本発明に係るＨｅｔｅｒｏｇｅｎｅｏｕｓセル構造を示した図面である。
【図３】本発明の実施例に係るＡＢＳ構造を示した図面である。
【図４】本発明に係る基地局間のＡＢＳ送受信概念図を示した図面である。
【図５】本発明の第１実施例に係るＡＢＳ構成方法を示した図面である。
【図６】本発明の第１実施例に係るＡＢＳ構成を例示した図面である。
【図７】本発明の第１実施例に係る基地局のＡＢＳ構成情報の送信過程を示した図面である。
【図８】本発明の第１実施例に係る基地局のＡＢＳ構成情報の受信過程を示した図面である。
【図９】本発明の第２実施例に係るＣＳＩ  ｒｅｓｔｒｉｃｔｉｏｎ  ｓｅｔを構成する過程を示した図面である。
【図１０】本発明の第２実施例に係るＣＳＩ  ｒｅｓｔｒｉｃｔｉｏｎ  ｓｅｔを例示した図面である。
【図１１】本発明の第２実施例に係るピコ基地局の動作を示した図面である。
【図１２】本発明の第２実施例に係る端末のチャネル測定フィードバックのフローチャートである。
【図１３】本発明の第３実施例に係るピコ基地局でＡＢＳ構成情報によってスケジューリングする方法を示した図面である。
【図１４】本発明の第３実施例に係る端末でチャネル測定フィードバックを送信する方法を示した図面である。
【図１５】本発明の第４実施例に係るピコ基地局でＡＢＳ構成情報によってスケジューリングする方法を示した図面である。
【図１６】本発明の第４実施例に係る端末でチャネル測定フィードバックを送信する方法を示した図面である。
【図１７】本発明の第５実施例に係るＡＢＳ構成方法を示した図面である。
【図１８】本発明の第５実施例に係るＡＢＳ構成の例を示した図面である。
【図１９】本発明に係る基地局送信装置の構成を示した図面である。
【図２０】本発明に係る端末受信装置の構成を示した図面である。
【発明を実施するための形態】
【００１１】
以下、添付された図面を参照して本発明の好ましい実施例を詳細に説明する。このとき、添付された図面で同一の構成要素は、なるべく同一の符号で示していることに留意しなければならない。また、本発明の要旨を不明確にする公知機能及び構成についての詳細な説明は省略する。
【００１２】
また、以下で説明される本明細書及び請求範囲に使用された用語や単語は、通常的または辞書的な意味に限定して解釈してはならず、発明者は、自分の発明を最善の方法で説明するために用語の概念に適切に定義することができるという原則に基づいて、本発明の技術的思想に符合する意味および概念に解釈しなければならない。
【００１３】
以下、本明細書では、ＬＴＥシステムとＬＴＥ−Ａｄｖａｎｃｅｄシステムを例に挙げて記述されたが、本発明は、基地局スケジューリングが適用されるその他の無線通信システムにも適用可能である。
【００１４】
ＬＴＥシステムは、ＯＦＤＭ送信方式を使用する。ここで、ＯＦＤＭ送信方式は、多重搬送波、すなわち、マルチ−キャリア（Ｍｕｌｔｉ−ｃａｒｒｉｅｒ）を使用してデータを送信する方式である。より詳細に説明すれば、ＯＦＤＭ送信方式は、直列に入力されるシンボル（Ｓｙｍｂｏｌ）列を並列化し、これらの各々を相互直交関係を有する多数のマルチキャリア、すなわち、多数のサブキャリアチャネル（Ｓｕｂ−ｃａｒｒｉｅｒ  ｃｈａｎｎｅｌ）に変調して送信するマルチキャリア変調（Ｍｕｌｔｉ  Ｃａｒｒｉｅｒ  Ｍｏｄｕｌａｔｉｏｎ）方式の一種である。
【００１５】
このようなマルチキャリア変調方式を適用するシステムは、１９５０年代の後半、軍用の高周波ラジオに最初に適用された。多数の直交するサブキャリアを重複させるＯＦＤＭ方式は、１９７０年代から発展し始めたが、マルチキャリア間の直交変調の実現が難解な問題であったため、実際のシステムに適用するのに限界があった。しかし、１９７１年代、ＷｅｉｎｓｔｅｉｎなどがＯＦＤＭ方式を使用する変調／復調は、ＤＦＴ（Ｄｉｓｃｒｅｔｅ  Ｆｏｕｒｉｅｒ  Ｔｒａｎｓｆｏｒｍ）を用いて効率的に処理が可能であることを発表しながら、ＯＦＤＭ方式に関する技術の開発が急速に発展した。また、ＯＦＤＭ方式で保護区間（ｇｕａｒｄ  ｉｎｔｅｒｖａｌ）を使用し、保護区間に循環前置（Ｃｙｃｌｉｃ  Ｐｒｅｆｉｘ，ＣＰ）シンボルを挿入する方式が知られながら、多重経路及び遅延拡散（ｄｅｌａｙ  ｓｐｒｅａｄ）に対するシステムの否定的な影響をさらに減少させるようになった。
【００１６】
このような技術的な発展に力づけられてＯＦＤＭ方式技術は、デジタルオーディオ放送（Ｄｉｇｉｔａｌ  Ａｕｄｉｏ  Ｂｒｏａｄｃａｓｔｉｎｇ，ＤＡＢ）とデジタルビデオ放送（Ｄｉｇｉｔａｌ  Ｖｉｄｅｏ  Ｂｒｏａｄｃａｓｔｉｎｇ，ＤＶＢ）、無線近距離通信網（Ｗｉｒｅｌｅｓｓ  Ｌｏｃａｌ  Ａｒｅａ  Ｎｅｔｗｏｒｋ，ＷＬＡＮ）、無線非同期送信モード（Ｗｉｒｅｌｅｓｓ  Ａｓｙｎｃｈｒｏｎｏｕｓ  Ｔｒａｎｓｆｅｒ  Ｍｏｄｅ，ＷＡＴＭ）等のデジタル送信技術に広範囲に適用されている。すなわち、ＯＦＤＭ方式は、ハードウェア的な複雑度（ｃｏｍｐｌｅｘｉｔｙ）によって広く使用されなかったが、最近では、高速フーリエ変換（Ｆａｓｔ  Ｆｏｕｒｉｅｒ  Ｔｒａｎｓｆｏｒｍ，ＦＦＴ）と逆高速フーリエ変換（Ｉｎｖｅｒｓｅ  Ｆａｓｔ  Ｆｏｕｒｉｅｒ  Ｔｒａｎｓｆｏｒｍ，ＩＦＦＴ）を含む各種デジタル信号処理技術が発展することによって実現可能になった。
【００１７】
ＯＦＤＭ方式は、従来の周波数分割多重（Ｆｒｅｑｕｅｎｃｙ  Ｄｉｖｉｓｉｏｎ  Ｍｕｌｔｉｐｌｅｘｉｎｇ，ＦＤＭ）方式と類似しているが、何よりも複数のトーン間の直交性（ｏｒｔｈｏｇｏｎａｌｉｔｙ）を維持して送信することにより、高速のデータを送信する時、最適な送信効率を得ることができるという特徴を有する。また、ＯＦＤＭ方式は、周波数利用効率が良好で且つ多重経路フェーディング（ｍｕｌｔｉ−ｐａｔｈ  ｆａｄｉｎｇ）に強い特性があって、高速のデータを送信する時に最適な送信効率を得ることができるという特徴を有する。
【００１８】
ＯＦＤＭ方式のさらに他の長所は、周波数スペクトルを重複して使用するので、周波数利用が効率的であり、周波数選択的フェーディング（ｆｒｅｑｕｅｎｃｙ  ｓｅｌｅｃｔｉｖｅ  ｆａｄｉｎｇ）に強い。そして、ＯＦＤＭ方式は、多重経路フェーディングに強く、保護区間を利用してシンボル間干渉（Ｉｎｔｅｒ  Ｓｙｍｂｏｌ  Ｉｎｔｅｒｆｅｒｅｎｃｅ，ＩＳＩ）の影響を低減させることができる。また、ＯＦＤＭ方式は、ハードウェア的に等化器（ｅｑｕａｌｉｚｅｒ）の構造を簡単に設計することが可能である。次に、インパルス（ｉｍｐｕｌｓｅ）性雑音に強いという長所を有しているので、通信システムの構造に積極的に活用されている傾向にある。
【００１９】
無線通信システムにおいて、高速／高品質のデータサービスを阻害する要因は、一般的にチャネル環境に起因する。無線通信システムにおいて、チャネル環境は、白色ガウス雑音（ＡＷＧＮ：ａｄｄｉｔｉｖｅ  ｗｈｉｔｅ  Ｇａｕｓｓｉａｎ  ｎｏｉｓｅ）の他にも、フェーディング（ｆａｄｉｎｇ）現象によって発生する受信信号の電力変化、シャドーイング（ｓｈａｄｏｗｉｎｇ）、端末の移動及び頻繁な速度変化によるドップラー（Ｄｏｐｐｌｅｒ）効果、他のユーザ及び多重経路（ｍｕｌｔｉ−ｐａｔｈ）信号による干渉などによって頻繁に変わる。したがって、無線通信システムにおいて、高速／高品質のデータサービスを支援するためには、チャネル環境の阻害要因を効果的に克服することが必要である。
【００２０】
ＯＦＤＭ方式で変調信号は、時間と周波数で構成された２次元リソース（ｒｅｓｏｕｒｃｅ）に位置する。時間軸上のリソースは、互いに異なるＯＦＤＭシンボルで区別され、これらは互いに直交する。周波数軸上のリソースは、互いに異なるトーン（ｔｏｎｅ）で区別され、これらも互いに直交する。すなわち、ＯＦＤＭ方式では、時間軸上で特定のＯＦＤＭシンボルを指定し、周波数軸上で特定のトーンを指定すれば、一つの最小単位リソースを示すことができるが、これをリソース要素（Ｒｅｓｏｕｒｃｅ  Ｅｌｅｍｅｎｔ，ＲＥ）と称する。互いに異なるＲＥは、周波数選択的チャネル（ｆｒｅｑｕｅｎｃｙ  ｓｅｌｅｃｔｉｖｅ  ｃｈａｎｎｅｌ）を経ても互いに直交する特性を有している。したがって、互いに異なるＲＥに送信された信号は、相互干渉を起こさずに受信側に受信される。
【００２１】
物理チャネルは、一つまたはそれ以上の符号化されたビット列を変調した変調シンボルを送信する物理階層のチャネルである。直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，ＯＦＤＭＡ）システムでは、送信する情報列の用途や受信機によって複数の物理チャネルを構成して送信する。一つの物理チャネルをどのＲＥに配置して送信するかについて、送信機と受信機があらかじめ約束しなければならないが、その規則を写像またはマッピング（ｍａｐｐｉｎｇ）という。
【００２２】
ＬＴＥシステムにおいて、下りリンクに適用された代表的なシステムはＯＦＤＭシステムであり、上りリンクに適用される代表的なシステムはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）である。また、ＬＴＥ−Ａシステムは、ＬＴＥシステムが多重バンドで拡張構成されるシステムであり、リレーは、ＬＴＥ−Ａシステムに適用される。
【００２３】
図１は、本発明が適用されるＬＴＥ（Ｌｏｎｇ  Ｔｅｒｍ  Ｅｖｏｌｕｔｉｏｎ）システムにおけるサブフレーム構造を示した図面である。ここで、サブフレームは、ＬＴＥ−Ａシステムでも互換性のために支援される。
【００２４】
図１を参照すれば、全体のＬＴＥ送信帯域幅１０７は、複数のリソースブロック（Ｒｅｓｏｕｒｃｅ  Ｂｌｏｃｋ、以下「ＲＢ」）からなる。一つのサブフレーム１０５は、１ｍｓの長さを有し、二つのスロット１０３で構成される。各ＲＢ１０９は、周波数軸に配列された１２個のサブキャリアと、時間軸に配列された１４個のＯＦＤＭシンボル１１３とで構成されており、これは、リソース割当の基本単位である。代案的に、ＲＢは、時間軸に１２個のＯＦＤＭシンボルで構成されてもよい。１４個のＯＦＤＭシンボルで構成される場合には、一般のＣＰ（Ｎｏｒｍａｌ  ＣＰ（Ｃｙｃｌｉｃ  Ｐｒｅｆｉｘ））サブフレーム構造１１３といい、１２個のＯＦＤＭシンボルで構成される場合には、拡張ＣＰ（Ｅｘｔｅｎｄｅｄ  ＣＰ）サブフレーム構造１２１という。
【００２５】
基準信号（Ｒｅｆｅｒｅｎｃｅ  Ｓｉｇｎａｌ、以下「ＲＳ」）１１９は、端末がチャネル推定をすることができるように、端末に送信する基地局と約束された信号であって、各々アンテナポート０（１２３）、１（１２５）、２（１２７）、及び３（１２９）から送信されるＲＳを意味する。そして、アンテナポートの数が１以上の場合、多重アンテナ（Ｍｕｌｔｉ−ａｎｔｅｎｎａ）を使用することを意味する。
【００２６】
周波数軸上でＲＳが配置されるＲＢの絶対的位置は、セル毎に異なるように設定されるが、ＲＳ間の相対的な間隔は一定に維持される。すなわち、同一のアンテナポートのＲＳは、６個のＲＢ間隔を維持する。このとき、ＲＳの絶対的位置がセル毎に異なるように設定される理由は、ＲＳのセル間衝突を避けるためである。ＲＳの数は、アンテナポート毎に差がある。より詳細に説明すれば、アンテナポート０と１の場合、一つのＲＢとサブフレームで総８個のＲＳが存在するが、アンテナポート２と３の場合、一つのＲＢとサブフレームで総４個のＲＳが存在する。したがって、アンテナ４個を使用する場合には、アンテナポート２と３を使用したチャネル推定の正確度は、アンテナポート０と１を使用した場合に比べて悪くなる。
【００２７】
ＲＳは、二種類のＲＳを利用するが、一つはＣＲＳ（ｃｏｍｍｏｎ−ＲＳ）であり、他の一つはＤＲＳ（Ｄｅｄｉｃａｔｅｄ  ＲＳ）である。ＣＲＳは、共通基準信号であり、セルが決定された位置で送信される。そして、ＣＲＳは、すべての端末が受信するように使用される基準信号である。ＤＲＳは、専用基準信号であり、セルが一つの受信機に割り当てられた特定リソースに限ってのみ送信する基準信号である。ＤＲＳは、他の端末で利用することができず、該当リソースがスケジューリングされた端末のみがチャネル推定のために使用できる基準信号である。
【００２８】
制御チャネル（ｃｏｎｔｒｏｌ  ｃｈａｎｎｅｌ）信号は、時間軸上で一つのサブフレームの先頭に位置する。図１で参照番号１１７は、制御チャネル信号が位置できる領域を示したものである。制御チャネル信号は、サブフレームの先頭に位置したＬ個のＯＦＤＭシンボルにわたって送信される。Ｌは、１、２または３の値を有してもよい。図１は、Ｌが３の場合を説明するためのものである。
【００２９】
制御チャネルの量が少なくて一つのＯＦＤＭシンボルで送信が十分な場合には、先頭の１  ＯＦＤＭシンボルのみが制御チャネル信号の送信に使用される（Ｌ＝１）。また、残り１３個のＯＦＤＭシンボルは、データチャネル信号の送信に使用される。このとき、Ｌの値は、制御チャネル受信動作で割当制御チャネルリソースのデマッピングのための基本情報として使用される。したがって、端末がＬの値を受信できない場合、制御チャネルを復旧することができなくなる。
【００３０】
サブフレームがＭＢＳＦＮ（Ｍｕｌｔｉ−Ｍｅｄｉａ  Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）の場合、Ｌは２に固定される。そして、ＭＢＳＦＮは、本来目的の放送情報を送信するチャネルである。しかし、ＭＢＳＦＮは、ＬＴＥ−Ａシステムでは、多様な用途として使用が可能であり、リレーバックホールの送信にも使用される。放送サブフレームとして該当サブフレームが指示されれば、ＬＴＥ端末は、該当サブフレームの制御チャネル領域の受信が可能であるが、データ領域を受信しない。ただし、ＬＴＥ−Ａ端末は、他の用途で該当サブフレームのデータ領域も受信することができる。
【００３１】
制御チャネル信号をサブフレームの先頭に位置させる理由は、まず、端末が制御チャネル信号を受信して自分に送信されるデータチャネル信号の送信有無を確認することができる。これにより、端末は、データチャネル受信動作を行うか否かを判断することができる。仮に、自分に送信されるデータチャネル信号がなければ、端末は、データチャネル信号を受信する必要がない。したがって、端末は、データチャネル信号の受信動作で消耗される電力を節約することができる。また、先頭に位置した制御チャネルをデータチャネルに比べて早く受信することで、端末はスケジューリングのリレーを減らすことができる。
【００３２】
ＬＴＥシステムで定義する下りリンク制御チャネルは、ＲＥＧ（Ｒｅｓｏｕｒｃｅ  ｅｌｅｍｅｎｔ  ｇｒｏｕｐ）単位１１１に送信される。そして、下りリンク制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  ＡＲＱ（Ａｕｔｏｍａｔｉｃ  Ｒｅｐｅａｔ  ｒｅｑｕｅｓｔ）  Ｉｎｄｉｃａｔｏｒ  ＣＨａｎｎｅｌ）、ＰＤＣＣＨ（Ｐａｃｋｅｔ  Ｄａｔａ  Ｃｏｎｔｒｏｌ  Ｃｈａｎｎｅｌ）１１７等がある。
【００３３】
ＰＣＦＩＣＨは、ＣＣＦＩ（Ｃｏｎｔｒｏｌ  Ｃｈａｎｎｅｌ  Ｆｏｒｍａｔ  Ｉｎｄｉｃａｔｏｒ）情報を送信するための物理チャネルである。ＣＣＦＩとは、サブフレームで制御チャネルが占めるシンボル数Ｌを知らせるために、２ビットで構成された情報である。優先的に端末は、受信されたＣＣＦＩを通じて制御チャネルに割り当てられたシンボル数を確認することができる。したがって、ＰＣＦＩＣＨは、固定的に下りリンクリソースが割り当てられた場合を除いたすべての端末がサブフレームで最初に受信しなければならないチャネルである。そして、端末は、ＰＣＦＩＣＨを受信する前にはＬが分からないので、ＰＣＦＩＣＨは、一番目のＯＦＤＭシンボルで送信されなければならない。ＰＣＦＩＣＨチャネルは、周波数領域で１６個の副搬送波に４等分され、全帯域にわたって送信される。
【００３４】
ＰＨＩＣＨは、下りリンクＡＣＫｓ（ＡＣＫｎｏｗｌｅｄｇｅｍｅｎｔｓ）／ＮＡＣＫｓ（Ｎｏｎ−ＡＣＫｎｏｗｌｅｄｇｅｍｅｎｔｓ）信号を送信するための物理チャネルである。ＰＨＩＣＨを受信する端末は、上りリンクでデータ送信を進めている端末である。したがって、ＰＨＩＣＨの数は、上りリンクでデータ送信を進めている端末の数に比例する。ＰＨＩＣＨは、一番目のＯＦＤＭシンボル（ＬＰＨＩＣＨ＝１）で送信されるか、三つのＯＦＤＭシンボル（ＬＰＨＩＣＨ＝３）にわたって送信される。基地局は、ＰＢＣＨ（Ｐｒｉｍａｒｙ  ｂｒｏａｄｃａｓｔ  ｃｈａｎｎｅｌ）を通じてすべての端末に、セルに最初に接続した時、ＰＨＩＣＨの構成情報（使用されるチャネルの量、ＬＰＨＩＣＨ）を知らせる。ＰＨＩＣＨチャネルもＰＣＦＩＣＨと同様に、セル毎に指定された位置に送信するようになる。したがって、ＰＨＩＣＨ制御チャネルは、他の制御チャネル情報と関係なく、端末がセルに連結されてＰＢＣＨ情報を得ることになれば受信することができる。
【００３５】
ＰＤＣＣＨ１１７は、データチャネル割当情報あるいは電力制御情報などを送信する物理チャネルである。ＰＤＣＣＨ１１７は、受信する端末のチャネル状態によって、チャネルの符号化率を異なるように設定することができる。ＰＤＣＣＨ１１７は、変調方式でＱＰＳＫ（Ｑｕａｄｒａｔｕｒｅ  Ｐｈａｓｅ  Ｓｈｉｆｔ  Ｋｅｙｉｎｇ）を固定的に使用する。したがって、チャネルの符号化率を変更するためには、一つのＰＤＣＣＨ１１７が使用するリソースの量を変更しなければならない。チャネル状態が良好な端末には、高いチャネル符号化率を適用することで、使用するリソースの量を減らせるようにする。その反面、チャネル状態が悪い端末には、使用するリソースの量を増やしても、高いチャネル符号化率を適用して受信が可能とする。個別ＰＤＣＣＨが消耗するリソースの量は、制御チャネル要素（Ｃｏｎｔｒｏｌ  Ｃｈａｎｎｅｌ  Ｅｌｅｍｅｎｔ、以下「ＣＣＥ」）という単位によって決定される。また、ＣＣＥは、複数のＲＥＧ（ｒｅｓｏｕｒｃｅ  ｅｌｅｍｅｎｔ  ｇｒｏｕｐ）１１１で構成される。ＰＤＣＣＨ１１７のＲＥＧ１１１は、ダイバーシティ保障のためにインターリーバを経た後、制御チャネルリソースに配置される。
【００３６】
ＰＨＩＣＨは、様々なＡＣＫ／ＮＡＣＫ信号を多重化するために、コード多重化（Ｃｏｄｅ  Ｄｏｍａｉｎ  Ｍｕｌｔｉｐｌｅｘｉｎｇ，ＣＤＭ）技法を適用する。一つのＲＥＧには、８個のＰＨＩＣＨ信号が４個ずつ実数部と虚数部にそれぞれコード多重化され、周波数ダイバーシティ利得を得るために、ＮＰＨＩＣＨの数分だけ繰り返されて周波数軸上で最大限離れるように配置されて送信される。したがって、ＮＰＨＩＣＨ個のＲＥＧを使用すれば、８個あるいはその以下のＰＨＩＣＨ信号を構成することができる。８個を超過するＰＨＩＣＨ信号を構成するためには、さらに他のＮＰＨＩＣＨ個のＲＥＧを使用しなければならない。
【００３７】
ＰＣＦＩＣＨとＰＨＩＣＨのリソース量および割当が決定された後には、基地局はＬ値を決定するようになる。基地局は、決定された値を基づいて物理制御チャネルを除外し、残った物理制御チャネルを割り当てられた制御チャネルのＲＥＧにマッピングする。そして、基地局は、周波数ダイバーシティ利得を得るためにインターリービング（ｉｎｔｅｒｌｅａｖｉｎｇ）を行う。インターリービングは、制御チャネルのＲＥＧ単位であり、Ｌによって定められたサブフレームの総ＲＥＧに対して行う。制御チャネルのインターリーバの出力は、セル間に同一のインターリーバを使用するので、発生するセル間干渉（ｉｎｔｅｒ−ｃｅｌｌ  ｉｎｔｅｒｆｅｒｅｎｃｅ）を防止するとともに、一つあるいは複数のシンボルにわたって割り当てられた制御チャネルのＲＥＧが周波数軸から遠く離れてダイバーシティ利得を得ることができるようにする。また、同一のチャネルを構成するＲＥＧが各チャネル別にシンボル間に均等に分配することを保障する。
【００３８】
図２は、本発明に係るＨｅｔｅｒｏｇｅｎｅｏｕｓセル構造を示した図面である。言い換えれば、図２は、ＬＴＥ−Ａシステムでピコセルを利用したＨｅｔｅｒｏｇｅｎｅｏｕｓシステムを示した図面である。
【００３９】
図２を参照すれば、Ｈｅｔｅｒｏｇｅｎｅｏｕｓセル構造は、互いに異なる種類やサイズのセルが重なって存在するシステムであって、ここでは、マクロセルが存在する環境においてさらにピコセルが設置されたことを仮定する。
【００４０】
マクロ（ｍａｒｃｏ）セル間２０１のＩＣＩＣは、セル間のリソース活用に対する一定情報を交換することで干渉を減少する効果がある技術である。ＬＴＥにおいて、ＩＣＩＣの技術によって周波数上で特定リソースの送信電力を制限する技術を利用した。すなわち、ＬＴＥにおいてＩＣＩＣ技術は、ＬＴＥ基地局がｍａｃｒｏセルの環境の場合を仮定したもので、送信電力が同等な複数のセルが特定リソースの最大送信電力を制限する方法である。
【００４１】
各基地局の情報は、Ｘ２網（Ｘ２  ｂａｃｋｈａｕｌ）２０４を利用して物理的に連結された隣接する基地局に伝達される。ＬＴＥ−ＡシステムでＨｅｔｅｒｏｇｅｎｏｕｓセル構造を導入するが、これは、現在存在するＬＴＥセル環境に送信電力が相対的に非常に小さいセルを追加して、特定地域での送信容量を増大する方法である。送信電力が相対的に小さいセルの半径は、送信電力が大きいマクロセルの送信電力によって減少するようになる。すなわち、送信電力が大きいマクロセルよりも送信電力が小さいセルの半径が大きく減少して、該当セルに連結される端末の数が減少するようになる。したがって、Ｈｅｔｅｒｏｇｅｎｏｕｓセル構造の性能が発揮されない。すなわち、同一帯域の周波数を最大限活用するためには、すべての基地局に同一の水準の端末が連結されなければならないが、セル半径の差が大きい場合、セルの半径が小さい基地局に少ない端末が連結されてシステム性能が減少するようになる。
【００４２】
これにより、最大のシステム性能を得るためには、なるべく多くの端末が送信電力の小さいピコセル２０２に連結されなければならない。多くの端末が送信電力の小さいピコセル２０２に連結されるためには、セル半径を広げる方案が考慮されなければならない。まず、端末は、送信電力が同一の位置で受信電力がマクロセルに比べて小さいピコセル基地局にも、標的セル（ｔａｒｇｅｔ  ｃｅｌｌ）として認知して連結できなければならない。
【００４３】
ＬＴＥでは、端末が基地局の受信電力の強さに一定値を指示して、受信電力の強さが小さい基地局にも連結され、これをｃｅｌｌ  ｒａｎｇｅ  ｅｘｐａｎｓｉｏｎ技術という。この場合、端末２０３は、物理的な距離上でピコセル２０２ではないマクロセル２０１に近く位置する。そして、端末２０３が実際の制御チャネルとデータチャネルを送受信する場合、マクロセルからの強い干渉によってピコセルと送受信できないという問題が発生する。これにより、基地局は、一部のリソースを任意に送信しないことによって、マクロセルの近所にあるが、ピコセルに連結された端末の制御チャネル送受信を保護することができ、これをＡＢＳという。
【００４４】
図３は、本発明の実施例に係るＡＢＳ構造を示した図面である。言い換えれば、図３は、ＡＢＳの周波数と時間軸リソース構造を示したものである。
【００４５】
図３を参照すれば、ＡＢＳ３０１の構造によれば、マクロ基地局３０２で大部分の信号がｂｌａｎｋ  ＲＥ３０６に送信されない。ところが、ＣＲＳ３０７とシステム情報を含む信号は送信が可能である。マクロセルに連結された端末は、マクロ基地局が送信するすべての周波数、時間リソースでＣＲＳ３０７を利用してチャネルを測定してフィードバックする。したがって、ＣＲＳ３０７が送信されなければ、端末はこれ以上マクロセルに連結されない。
【００４６】
ピコセル３０３に連結された端末に唯一の干渉３０５として、マクロセルのＣＲＳ３０７が作用される。マクロセル３０２の前記ＡＢＳ３０１のＣＲＳ３０７は、ピコセル３０３の一般的なサブフレーム３０４のＲＥにオーバーラップ３０５される。これにより、マクロセル３０２を管理するマクロ基地局は、自分が送信しているサブフレームのうち一部のサブフレームをＡＢＳで構成し、これをピコセル３０３を管理するピコ基地局に知らせるが、このとき、どのサブフレームを選択するかを決定することが必要である。
【００４７】
図４は、本発明に係る基地局間のＡＢＳ送受信の概念図を示した図面である。言い換えれば、図４は、マクロセルとピコセル間のＡＢＳサブフレーム関係を示した図面である。図４は、マクロセルＡ  ４０１及びマクロセルＢ  ４０３が特定のサブフレームである０番サブフレーム４０５をＡＢＳで構成した例である。
【００４８】
端末のマクロセルＡ  ４０１とマクロセルＢ  ４０３は、ピコセル４０２で参照番号４０６及び４０８のように該当サブフレームに基準信号の干渉を与える。このとき、ピコセル４０２は、すべてのサブフレームで連結されたすべての端末をスケジューリングするが、セルの境界にある端末には、サブフレーム０番にスケジューリングすることで端末の送受信が可能にする。それのために、マクロセルは、特定サブフレームをＡＢＳに選定しなければならない。
【００４９】
サブフレームの選択は、端末が特定サブフレームで送信される信号を受信できるようにし、ＨＡＲＱ動作をするのに影響が無いようにすることを目的とする。また、端末性能に問題を与えるｐａｇｉｎｇチャネルとシステム情報受信に影響が無いようにすることを目的とする。したがって、システム情報変更、すなわちＡＢＳ構成変更、その他の情報変更及びｐａｇｉｎｇチャネル変更の問題があり、これを解決するためには、ＡＢＳ構成方法が必要である。
【００５０】
次に、ＣＳＩ（Ｃｈａｎｎｅｌ  ｓｔａｔｅ  ｉｎｆｏｒｍａｔｉｏｎ）フィードバックは、すべてのリソースを利用して送信が可能である。しかし、ＡＢＳが適用される場合、基地局は、端末にどのリソースを利用してフィードバックするかを知らせなければならない。そして、基地局は、現在フィードバックに使用されたリソースがどの干渉の影響を受けているかを把握することができ、該当サブフレームにスケジューリングが可能である。仮に、誤ったフィードバック情報を利用する場合には、続けてエラーが発生し、すべての端末の送受信が不可能になる。したがって、ＣＳＩフィードバックに使用されるリソース構成は、ＡＢＳリソース構成と関連がある。
【００５１】
マクロ基地局がＡＢＳ構成を変更する場合、ピコ基地局が連結されたすべての端末にＣＳＩフィードバックのためのリソース構成を変更するよう知らせれば、変更過程での時間誤差によるエラー問題、システムオーバーヘッド問題が発生し得る。したがって、ＡＢＳの変更にも端末のリソース構成が変わらないようにリソースｓｅｔを構成すれば、効率的なシステム運営が可能である。本発明では、このような問題を解決するためのＡＢＳリソース構成方法と、ＣＳＩ  ｒｅｓｏｕｒｃｅ  ｒｅｓｔｒｉｃｔｉｏｎ構成方法と、運営方案を提示する。
【００５２】
図５は、本発明の第１実施例で提案するＡＢＳサブフレームの構成方法の例を示した図面である。
【００５３】
本発明の第１実施例で提案するマクロセルが決定するＡＢＳリソースの構成は、次の通りである。ＡＢＳパターン（Ｐａｔｔｅｒｎ）を決定する規則として、パターンに使用されるリソースが往復時間（ＲＴＴ；Ｒｏｕｎｄ  ｔｒｉｐ  ｔｉｍｅ）５０１の周期で構成された時間リソースの合計から構成することを提案する。より詳細に説明すれば、図５を参考すれば、ＡＢＳパターンは、少なくとも一つの１０ｍｓｅｃのサブフレーム５０１のインデックス４番５０４および／または９番５０５のサブフレームを含むＨＡＲＱを結合したリソースで構成される。ＬＴＥ  ＦＤＤ（Ｆｒｅｑｕｅｎｃｙ  Ｄｉｖｉｓｉｏｎ  Ｄｕｐｌｅｘ）システムでＲＴＴは、８ｍｓｅｃに定義され、本発明では任意の値を全部含む。このようにパターンが決定される理由は、二つの重要な情報がサブフレームのインデックス４番と９番に送信されるからである。二つの重要な情報は、ページング（ｐａｇｉｎｇ）信号とシステム情報変動（ｓｙｓｔｅｍ  ｉｎｆｏｒｍａｔｉｏｎ  ｃｈａｎｇｅ）の関連情報である。
【００５４】
端末が自分にコールが指示されたか否かを知るためには、ページング信号を持続的に見なければならない。そして、システム情報が変動する場合、端末は、変動したシステム情報をページング信号が送信されるチャネルに共に送信する。システム情報の変動には、ＡＢＳサブフレームの変動も含まれる。したがって、システム情報の持続的なアップデートが不可能な状態でＡＢＳが適用される場合、端末は、持続的にデータを送受信することができない。しかし、ＨＡＲＱの過程によってすべてのラジオフレーム（ｒａｄｉｏｆｒａｍｅ）のすべての４番、９番のサブフレームをＡＢＳで構成することができず、制限された程度の量のみをＡＢＳで構成するようになる。
【００５５】
総８個のＨＡＲＱで構成されるＬＴＥシステムでは、１個から７個のＨＡＲＱ過程を選択することができ、この場合、第１実施例で提示したことと同じ原理によって選択が可能である。すなわち、１番サブフレームを含むＨＡＲＱ過程５０６の１，３，５，７番と、４番サブフレームを含むＨＡＲＱ過程５０７の０，２，４，６番が選択される。そして、１つ以上のＨＡＲＱ過程が選択される場合、それよりも少ないＨＡＲＱ過程をＡＢＳで含むことが必要である。例えば、１つのＨＡＲＱ過程がＡＢＳのパターンに決定された場合には４番が、２つのＨＡＲＱ過程が選択される場合にはサブフレームのインデックス４番と１番が選択されるように構成されなければならない。このような構造をｎｅｓｔｅｄ構造といい、このような構造を維持することは、該当パターンの変動を端末に直ちに送信せずに変動するためである。
【００５６】
端末は、ＡＢＳパターンを直接受信する場合もあるが、ＲＬＭ／ＲＲＭ（ｒａｄｉｏ  ｌｉｎｋ  ｍｏｎｉｔｏｒ／ｒａｄｉｏ  ｒｅｓｏｕｒｃｅ  ｍｅａｓｕｒｅｍｅｎｔ）パターンを受信することも可能である。このとき、ＲＬＭ／ＲＲＭパターンは、ＡＢＳのパターンのｓｕｂｓｅｔで構成される。ＲＬＭ／ＲＲＭパターンがｓｕｂｓｅｔで構成される場合、基地局は、ＡＢＳパターンを端末に知らせずに、直ちにＡＢＳの量を増加させることができる。ただし、ＡＢＳ量を減少させる場合、基地局は、新しいＲＬＭ／ＲＲＭパターンを端末に知らせなければならない。
【００５７】
ＡＢＳパターンがＲＬＭ／ＲＲＭパターンのｓｕｂｓｅｔになる理由は、ピコセルの境界にある端末が、マクロセル干渉の高い領域でピコセルに連結が切断されていないと判断するために、干渉のない部分のみで自分の信号を測定しなければならないからである。また、ｎｅｓｔｅｄ構造は、多重セル間のＡＢＳを構成するために使用される。それで、隣接したマクロセルが互いに異なるＡＢＳパターンを使用しても、ｎｅｓｔｅｄ構造を利用してすべてのマクロセルが共同で使用するＡＢＳパターンを維持することができる。
【００５８】
図６は、本発明の第１実施例に係るＡＢＳ構成を例示した図面である。ここで、図６で示したＡＢＳ構成は、本発明で提示する規則によって構成されたものであるが、この他の第１実施例の規則に適した複数のパターンが存在することができる。
【００５９】
図６を調べてみれば、４０ｍｓｅｃ（６０１）の間、第１実施例で提示するｌａｙｅｒｅｄ構造と、１番および９番のサブフレームを含む構造と、ＡＢＳに適用するＨＡＲＱの数によるｓｅｔとで構成されたことを確認することができる。
【００６０】
図７は、本発明の第１実施例に係る基地局のＡＢＳ構成情報の送信過程を示した図面である。図７は、マクロ基地局がＡＢＳを決定し、隣接する基地局にＡＢＳパターン情報を送信する過程を示した図面である。
【００６１】
図７を参照すれば、マクロ基地局は、７０１段階において、ＨＡＲＱの数による第１実施例の規則でなされたＡＢＳ  ｓｅｔのうち一つのＡＢＳサブフレームを選択する。そして、マクロ基地局は、７０３段階において、隣接したセルに該当するすべての基地局にＸ２網を利用して選択されたＡＢＳサブフレームに対するＡＢＳパターン情報を送信する。次に、マクロ基地局は、７０５段階において、該当ＡＢＳサブフレームで基準信号を除外して、何の信号も送信しないように送信電力を決定する。
【００６２】
図８は、本発明の第１実施例に係る基地局のＡＢＳ構成情報の受信過程を示した図面である。より詳細に説明すれば、マクロ基地局が送信するＡＢＳパターンを受信したピコセル基地局の動作を示した図面である。
【００６３】
図８を参照すれば、ピコ基地局は、８０１段階においてＸ２網でマクロ基地局が送信したＡＢＳ  ｓｅｔに対するＡＢＳパターン情報を受信する。そして、ピコ基地局は、ＡＢＳパターン情報を通じてＡＢＳサブフレームで確認する。その後、ピコ基地局は、確認したサブフレームをマクロ基地局から干渉のないサブフレームを決定する。そして、ピコ基地局は、８０３段階において、セル境界にある該当端末にＡＢＳサブフレームと同一の構成情報であるＡＢＳ  ｓｅｔあるいは一部分のｓｕｂｓｅｔを送信する。このとき、ピコ基地局がＡＢＳ  ｓｅｔの一部分のｓｕｂｓｅｔのみを送信する理由は、動的なＡＢＳ変更に適応するためである。次に、ピコ基地局は、８０４段階で決定されたサブフレームを通じて拡張されたセル領域にある、あるいは、セル境界にある端末をスケジューリングする。
【００６４】
図９は、本発明の第２実施例に係るＣＳＩ  ｒｅｓｔｒｉｃｔｉｏｎ  ｓｅｔの構成過程を示した図面である。言い換えれば、図９は、本発明の第２実施例に係る端末でチャネル測定のための基準リソースのパターンを構成する方法を示した図面である。
【００６５】
ＡＢＳパターンに対するチャネル測定のための基準リソース（ＣＳＩ  ｒｅｓｏｕｒｃｅ  ｒｅｓｔｒｉｃｔｉｏｎ  ｓｅｔ）の構成方法は、次のような過程で行われる。まず、セル間に共有されるＡＢＳパターンは、ｓｈｉｆｔあるいはｏｒｔｈｏｇｏｎａｌの一つの形態で決定される。Ｓｈｉｆｔあるいはｏｒｔｈｏｇｏｎａｌするように決定されたＡＢＳパターンは、ｎｏｎ−ＡＢＳ領域にスケジューリングされる端末のためのものであり、該当端末は、自分の位置によって互いに異なるパターンを利用してチャネルを測定しなければならない。図９を参考すれば、マクロ基地局のサブフレーム９０２は、ＨＡＲＱ過程の１番と４番９０１がＡＢＳで構成されている。したがって、ピコ基地局は、セル境界にある端末を参照番号９０３に該当するサブフレームにスケジューリングする。該当端末は、ピコ基地局から参照番号９０６のようにチャネル測定リソースの制限を受けることになる。
【００６６】
しかし、ピコ基地局が管理するピコセルの中央にある端末は、参照番号９０７のように参照番号９０６のｓｈｉｆｔされた形態でチャネルの測定が可能であり、参照番号９０８のようにｏｒｔｈｏｇｏｎａｌした形態で構成が可能である。
【００６７】
このとき、端末に割り当てられるチャネル測定リソースが参照番号９０８のように構成される場合、ピコ基地局はＡＢＳパターンが変更されれば、端末のチャネル測定制限リソースも変更しなければならない。しかし、参照番号９０７のように構成される場合、ピコ基地局は、一部のサブフレームを第１実施例のｎｅｓｔｅｄ構造によって端末に追加的なシグナリングなしに変更が可能である。
【００６８】
第２実施例で提示する方法は、簡単な方法で二つの互いに異なるサブフレームを指示するパターンを作製する方法である。言い換えれば、チャネル測定リソースを構成する方法であって、一つはＡＢＳパターンと同一なものであり、他の一つはＡＢＳパターンと重ならないように構成する方法である。したがって、すべての端末は、チャネル測定のためのｒｅｓｔｒｉｃｔｉｏｎ  ｓｅｔを受けることができる。そして、端末は、ｒｅｓｔｒｉｃｔｉｏｎ  ｓｅｔに該当したリソースでチャネルの測定をする。このとき、該当ｒｅｓｔｒｉｃｔｉｏｎ  ｓｅｔは、全体ＡＢＳリソースや、全体Ｎｏｎ−ＡＢＳリソースの全部あるいは一部で構成される。
【００６９】
ピコセルの境界にある端末は、マクロ基地局の近所に存在するようになり、マクロセロからの強い干渉を避けるために、ピコ基地局は、ＡＢＳで構成されたサブフレームに端末をスケジューリングする。これのために、ピコセルの境界にある端末は、ＡＢＳで構成されたサブフレームに限ってチャネル測定をしなければならず、これは、全体ＣＳＩ  ｒｅｓｔｒｉｃｔｉｏｎ  ｓｅｔのうちＡＢＳと重複するパターンを活用して構成する。その反面、ピコセルの中央にある端末は、ＡＢＳで構成されたサブフレームやｎｏｎ−ＡＢＳサブフレームの両方にスケジューリングが可能であるので、ＡＢＳパターンとｏｒｔｈｏｇｏｎａｌまたはｓｈｉｆｔで構成されたｓｅｔの割当を受けてチャネルの測定を行う。
【００７０】
図１０は、本発明の第２実施例に係るＣＳＩ  ｒｅｓｔｒｉｃｔｉｏｎ  ｓｅｔの構成を例示した図面である。図１０は、一つの例として、本発明で提示する規則によって構成されたものであるが、この他の第２実施例の規則に適した複数のパターン集合が存在することができる。図１０を参考すれば、Ｃｏｎｆｉｇｕｒａｔｉｏｎ  ０（９０１）は、ＡＢＳパターンに使用されたｃｏｎｆｉｇｕｒａｔｉｏｎ  １のｓｈｉｆｔ形態であり、ＡＢＳパターンに使用されたｃｏｎｆｉｇｕｒａｔｉｏｎ  １３のｏｒｔｈｏｇｏｎａｌした形態である。
【００７１】
図１１は、本発明の第２実施例に係るピコ基地局の動作を示した図面である。
【００７２】
図１１を参照すれば、ピコ基地局は、１１０１段階において、Ｘ２網に隣接したマクロ基地局からＡＢＳパターンを受信する。そして、ピコ基地局は、第２実施例に係るチャネル測定ｒｅｓｔｒｉｃｔｉｏｎ  ｓｅｔのうち一つをＲＲＣ（Ｒａｄｉｏ  Ｒｅｓｏｕｒｃｅ  Ｃｏｎｔｒｏｌ）シグナリングを利用して各端末に送信する。
【００７３】
言い換えれば、ピコ基地局は、１１０３段階において、セルの境界にある端末にＡＢＳパターンと同一あるいはｓｕｂｓｅｔに該当するｓｅｔを送信する。そして、ピコ基地局は、１１０５段階において、セルの中心にある端末にＡＢＳパターンが適用されない或いはそのｓｕｂｓｅｔに該当するｓｅｔを送信する。その後、ピコ基地局は、送信されたチャネルの測定パターンに合うサブフレーム領域に該当端末をスケジューリングする。すなわち、ピコ基地局は、１１０７段階において、ＡＢＳサブフレームにセル境界の端末をスケジューリングする。そして、ピコ基地局は、１１０９段階において、Ｎｏｎ−ＡＢＳサブフレームにセル中央の端末をスケジューリングする。
【００７４】
図１２は、本発明の第２実施例に係る端末のチャネル測定フィードバックのフローチャートである。
【００７５】
図１２を参照すれば、端末は、１２０１段階において、ピコ基地局からチャネル測定のための基準リソース構成セットであるｒｅｓｔｒｉｃｔｉｏｎ  ｓｅｔを受信する。そして、端末は、１２０３段階で受信されたｓｅｔで指示されたサブフレーム領域のみでチャネルの測定を行う。そして、端末は、１２０５段階において、チャネル測定値をチャネル測定フィードバック方法によってピコ基地局に伝達する。
【００７６】
次に、ピコ基地局は、すべての端末にＡＢＳ  ｓｅｔの構成と同一あるいはそのｓｕｂｓｅｔで構成されたＣＳＩ  ｒｅｓｔｒｉｃｔｉｏｎ  ｓｅｔを送信すれば、端末は、すべてのリソースを利用するチャネル測定値をフィードバックし、ｒｅｓｔｒｉｃｔｉｏｎ  ｓｅｔのみを利用したチャネル測定値をフィードバックすることができる。このような方法について、図１３及び図１４を参照して詳細に説明する。
【００７７】
図１３は、本発明の第３実施例に係るピコ基地局でＡＢＳ構成情報によってスケジューリングする方法を示した図面である。
【００７８】
図１３を参照すれば、ピコ基地局は、１３０１段階においてマクロ基地局からＸ２網にＡＢＳ  ｓｅｔを受信する。その後、ピコ基地局は、１３０３段階において、セル境界の端末にＡＢＳ  ｓｅｔと同一のｓｅｔあるいはそのｓｕｂｓｅｔを送信するか、セル中央の端末にＮｏｎ−ＡＢＳ  ｓｅｔと同一のｓｅｔあるいはそのｓｕｂｓｅｔを送信する。そして、ピコ基地局は、１３０５段階でＡＢＳサブフレームにセル境界の端末をスケジューリングする。次に、ピコ基地局は、１３０７段階でＮｏｎ−ＡＢＳサブフレームにセル中央の端末をスケジューリングする。
【００７９】
図１４は、本発明の第３実施例に係る端末でチャネル測定フィードバックを送信する方法を示した図面である。
【００８０】
図１４を参照すれば、端末は、１４０１段階でピコ基地局からチャネル測定ｒｅｓｔｒｉｃｔｉｏｎ  ｓｅｔを受信する。ここで、チャネル測定ｒｅｓｔｒｉｃｔｉｏｎ  ｓｅｔは、ＡＢＳ  ｓｅｔまたはｓｕｂｓｅｔを意味する。次に、端末は、１４０３段階において、チャネル測定ｒｅｓｔｒｉｃｔｉｏｎ  ｓｅｔによってサブフレームに指示された領域でチャネルの測定を行う。そして、端末は、１４０５段階において、すべてのサブフレーム領域でチャネルの測定を行う。最後に、端末は、１４０７段階で二つのチャネル測定値をピコ基地局にフィードバックする。
【００８１】
チャネル測定フィードバックを送信する方法において、すべてのリソースを用いるフィードバックは、ＡＢＳで測定された干渉とＮｏｎ−ＡＢＳで測定された干渉とが結合されて測定される。そして、ＣＳＩ  ｒｅｓｔｒｉｃｔｉｏｎ  ｓｅｔのみを用いる場合、ＡＢＳで測定された干渉あるいはＮｏｎ−ＡＢＳで測定された干渉のみが測定される。したがって、ピコ基地局は、二つの値を利用してＡＢＳで測定された干渉とｎｏｎ−ＡＢＳで測定された干渉とを分離することができる。
【００８２】
次に、ピコ基地局は、二つの互いに異なるＣＳＩ  ｒｅｓｔｒｉｃｔｉｏｎ  ｓｅｔを送信し、端末は、チャネル測定値をフィードバックする方法について、図１５〜図１６を参照して説明する。ここで、ピコ基地局は、すべての端末に時間軸を基準として分離されたＡＢＳの構成と同一あるいはそのｓｕｂｓｅｔで構成されたｒｅｓｔｒｉｃｔｉｏｎ  ｓｅｔと、Ｎｏｎ−ＡＢＳに該当するサブフレームで構成されたものと同一あるいはそのｓｕｂｓｅｔで構成された他のｒｅｓｔｒｉｃｔｉｏｎ  ｓｅｔを送信し、端末は、それぞれのチャネル測定値をフィードバックする方法である。
【００８３】
図１５は、本発明の第４実施例に係るピコ基地局でＡＢＳ構成情報によってスケジューリングする方法を示した図面である。
【００８４】
図１５を参照すれば、ピコ基地局は、１５０１段階でマクロ基地局からＸ２網にＡＢＳ  ｓｅｔを受信する。そして、ピコ基地局は、１５０３段階において、すべての端末でＡＢＳ  ｓｅｔと同一のｓｅｔあるいはそのｓｕｂｓｅｔを送信する。次に、ピコ基地局は、１５０５段階において、すべての端末でＮｏｎ−ＡＢＳ  ｓｅｔと同一のｓｅｔあるいはそのｓｕｂｓｅｔを送信する。
【００８５】
ピコ基地局は、１５０７段階でＡＢＳサブフレームにセル境界の端末をスケジューリングする。次に、ピコ基地局は、１５０９段階でＮｏｎ−ＡＢＳサブフレームにセル中央の端末をスケジューリングする。
【００８６】
図１６は、本発明の第４実施例に係る端末でチャネル測定フィードバックを送信する方法を示した図面である。
【００８７】
図１６を参照すれば、端末は、１６０１段階でピコ基地局からチャネル測定ｒｅｓｔｒｉｃｔｉｏｎ  ｓｅｔを二つ受信する。そして、端末は、１６０３段階において、サブフレームの指示された領域でチャネルの測定を別に行う。言い換えれば、端末は、チャネル測定ｒｅｓｔｒｉｃｔｉｏｎ  ｓｅｔによってサブフレームに指示された領域でチャネルの測定を行う。そして、端末は、すべてのサブフレーム領域でチャネルの測定を行う。最後に、端末は、１６０５段階で二つのチャネル測定値を基地局にフィードバックする。このような場合、端末は、時間上で分離されたリソース領域で測定されたチャネル値を基地局にフィードバックする。
【００８８】
図１７は、本発明の第５実施例に係るＡＢＳ構成方法を示した図面である。
【００８９】
第５実施例で提示するＡＢＳパターンの構成方法は、参照番号１７０１で図示されたように、連続した８個のＨＡＲＱ過程で連続したＮ個のＡＢＳが常に示され、少なくとも４番あるいは９番のサブフレームが含まれるＨＡＲＱ過程１７０４，１７０５を含むリソースの合計から構成する方法である。ＡＢＳが連続的なサブフレームに存在する場合、基地局は、最大送信電力を使用して端末に送信することができる。
【００９０】
ＡＢＳサブフレームの場合、基地局は、基準信号を除いては何の信号を送信しない。この場合、隣接した様々なマクロ基地局から同一の瞬間に送信の電力が変動することができる。このとき、端末が属した基地局を基準として送受信タイミングが定められるので、隣接する基地局との距離によって、あるいは、チャネルの状態によって、ＡＢＳの前後を基準として送信電力の変化による干渉が発生し得る。したがって、連続していないＡＢＳが存在する場合に送信電力の変化による干渉が発生し得るので、連続したＡＢＳが存在することが好ましい。
【００９１】
図１８は、本発明の第５実施例に係るＡＢＳ構成の例を示した図面である。図１８を参考すれば、４０ｍｓｅｃを有するＡＢＳ  １８０１が図示される。サブフレームでＡＢＳが適用される方法として、図１８の参照番号１８０１でＰ０，Ｐ３，Ｐ５，Ｐ７，Ｐ９，Ｐ１１，Ｐ１３が使用されてもよく、Ｐ１，Ｐ２，Ｐ４，Ｐ６，Ｐ８，Ｐ１０，Ｐ１２が使用されてもよいが、混用して使用されることはない。そして、基地局が使用するＣＳＩ  ｒｅｓｔｒｉｃｔｉｏｎ  ｓｅｔは、Ｐ０〜Ｐ１４の全部を使用することができる。
【００９２】
図１９は、本発明に係る基地局送信装置の構成を示した図面である。
【００９３】
図１９を参照すれば、ＡＢＳパターン１９０１が隣接するマクロ基地局から受信されれば、コントローラ１９０５は、ＣＳＩ  ｒｅｓｔｒｉｃｔｉｏｎ  ｓｅｔ１９０２とＲＬＭ／ＲＲＭ  ｓｅｔ１９０４を決定する。そして、コントローラ１９０５は、ＲＲＣ  ｓｉｇｎａｌｉｎｇ１９０３を通じて決定されたＣＳＩ  ｒｅｓｔｒｉｃｔｉｏｎ  ｓｅｔ１９０２とＲＬＭ／ＲＲＭ  ｓｅｔ１９０４を端末に送信する。ＣＳＩ  ｒｅｓｔｒｉｃｔｉｏｎ  ｓｅｔ１９０２とＲＬＭ／ＲＲＭ  ｓｅｔ１９０４は、一つのパターンで送信される。そして、ＲＬＭ／ＲＲＭ  ｓｅｔ１９０４は、ＡＢＳパターン１９０１と同一のパターンであるか、ｓｕｂｓｅｔで構成される。また、コントローラ１９０５は、スケジューラ１９０６を介して端末の位置によってサブフレーム領域に端末データを多重化（Ｍｕｌｔｉｐｌｅｘｅｒ、１９０７）する。
【００９４】
図２０は、本発明に係る端末受信装置の構成を示した図面である。
【００９５】
図２０を参照すれば、コントローラ２００７は、基地局から受信されたＣＳＩ  ｒｅｓｔｒｉｃｔｉｏｎ  ｓｅｔ２００３を利用してＣＱＩ（Ｃｈａｎｎｅｌ  Ｑｕａｌｉｔｙ  Ｉｎｄｉｃａｔｏｒ）フィードバック２００２を測定する。端末は、本発明で提案した実施例を通じて１つあるいは複数のＣＱＩフィードバックを測定することができる。そして、測定されたＣＱＩ２００１は、基地局に送信される。
【００９６】
また、コントローラ２００７は、ＲＬＭ／ＲＲＭパターン２００６に基づくｌｉｎｋ  ｍｏｔｉｎｏｒ２００５を利用して現在位置したセルと連結可能であるか否かをＲＳＲＰ（Ｒｅｃｅｉｖｅｄ  Ｓｉｇｎａｌ  Ｒｅｃｅｉｖｅｄ  Ｐｏｗｅｒ）を測定する。そして、測定されたＲＳＲＰ２００４は、基地局にフィードバックされる。ＲＳＲＰは、基準信号の受信電力の測定値を意味する。
【００９７】
一方、本明細書と図面に開示された本発明の実施例は、本発明の技術内容を容易に説明し、本発明の理解を助けるために特定例を提示したものに過ぎず、本発明の範囲を限定するものではない。ここに開示された実施例の他にも本発明の技術的思想に基づいて他の変形例が実施可能であることは、本発明が属する技術分野で通常の知識を有する者に自明である。
【図１】
0005934234.tif 000002
【図２】
0005934234.tif 000003
【図３】
0005934234.tif 000004
【図４】
0005934234.tif 000005
【図５】
0005934234.tif 000006
【図６】
0005934234.tif 000007
【図７】
0005934234.tif 000008
【図８】
0005934234.tif 000009
【図９】
0005934234.tif 000010
【図１０】
0005934234.tif 000011
【図１１】
0005934234.tif 000012
【図１２】
0005934234.tif 000013
【図１３】
0005934234.tif 000014
【図１４】
0005934234.tif 000015
【図１５】
0005934234.tif 000016
【図１６】
0005934234.tif 000017
【図１７】
0005934234.tif 000018
【図１８】
0005934234.tif 000019
【図１９】
0005934234.tif 000020
【図２０】
0005934234.tif 000021